(57)【要約】【課題】コストをかけることなく、プレニップ領域にて中間転写ベルト上のトナー像が、放電によって飛散してしまうことを防止する画像形成装置を提供する。【解決手段】本発明の画像形成装置は、絶縁性基材層と、この絶縁性基材層上に設けられる電極層と、この電極層上に設けられる半導電層とからなる中間転写ベルト４０と、中間転写ベルト４０の前記電極層に所定のバイアス電圧を印加する転写バイアス印加手段３５と、前記中間転写ベルト４０の外周に当接しニップ領域を形成すると共に、所定のバイアス電圧が印加される２次転写ローラ５０と、を有し、前記２次転写ローラ５０と対向して前記中間転写ベルトを挟持する部材を設けないことを特徴とする。【選択図】図１
2009204768.tif 000002
【特許請求の範囲】
【請求項１】
絶縁性基材層と、前記絶縁性基材層上に設けられる電極層と、前記電極層上に設けられる半導電層とからなる中間転写ベルトと、
前記中間転写ベルトの前記電極層に所定のバイアス電圧を印加する転写バイアス印加手段と、
前記中間転写ベルトの外周に当接しニップ領域を形成すると共に、所定のバイアス電圧が印加される２次転写ローラと、を有し、
前記２次転写ローラと対向して前記中間転写ベルトを挟持する部材を設けないことを特徴とする画像形成装置。
【請求項２】
前記ニップ領域よりも上流側におけるプレニップ領域で、前記中間転写ベルトと沿うように用紙が搬送されることを特徴とする請求項１に記載の画像形成装置。
【請求項３】
前記ニップ領域よりも上流側に、コロナ帯電器が設けられることを特徴とする請求項１又は請求項２に記載の画像形成装置。
【請求項４】
前記ニップ領域よりも上流側に、前記中間転写ベルトに向けて用紙をガイドする用紙ガイド部材が設けられることを特徴とする請求項１乃至請求項３のいずれかに記載の画像形成装置。
【請求項５】
前記ニップ領域における用紙のクセ付け方向が、前記中間転写ベルトから離れる方向であることを特徴とする請求項１乃至請求項４のいずれかに記載の画像形成装置。
【請求項６】
前記ニップ領域よりも下流側に、前記中間転写ベルトから用紙を剥離する剥離爪が設けられることを特徴とする請求項１乃至請求項５のいずれかに記載の画像形成装置。
【請求項７】
前記中間転写ベルトを駆動する駆動ローラが設けられており、前記剥離爪は前記駆動ローラと共に前記中間転写ベルトを挟み込む位置に設けられることを特徴とする請求項１乃至請求項６のいずれかに記載の画像形成装置。
【請求項８】
前記用紙ガイド部材よりも上流側で、前記中間転写ベルトに最終色のトナー像が形成される位置よりも下流側にテンションローラが設けられることを特徴とする請求項１乃至請求項７のいずれかに記載の画像形成装置。
【発明の詳細な説明】
【技術分野】
【０００１】
本発明は、像担持体上に形成した潜像をトナーによって現像し、さらにシート材などの記録媒体にこのトナーの現像像を転写し、最終的には定着装置において熱と圧力をかけてトナー現像像を記録媒体上に融着して永久可視像とする画像形成装置に関する。
【背景技術】
【０００２】
画像形成装置にあっては、中間転写ベルト上に１次転写されたトナー像を、用紙などに２次転写する際の二次転写部においては、プレニップ領域でも電界が作用してしまう。このため、前記のような２次転写部のプレニップ領域にて例えば中間転写ベルト上のトナー像（可視像）が飛散してしまい所謂ブラー（画質欠陥）が発生したり、放電マークが発生したり、チリが発生したりし画質劣化が起こるという技術的な課題がある。
【０００３】
また、二次転写部のポストニップ領域でも比較的大きい電界が作用するため、用紙剥離時に剥離放電に伴う筋状の所謂放電マーク（画質欠陥）が発生し易く、画質が劣化してしまう、という技術的課題も見られた。また、ポストニップ領域における電界の影響によって、２次転写後における用紙剥離性や分離性が悪くなるという課題もあった。
【０００４】
上記のような課題を解決するためのものとしては、特許文献１（特開平１１−６５３３２号公報）に、中間転写ベルトと２次転写ローラ方式の２次転写部を有する画像形成装置が開示されている。特許文献１のものの場合、２次転写ニップに用紙が突入する前に中間転写ベルトに対して用紙を沿わせる構成がとられている。つまり、２次転写電界がかかり始めるプレニップより以前に紙をベルトに沿わせることで、２次転写前の放電マーク、チリの発生を低減させるようにしている。
【０００５】
また、特許文献２（特開平１０−２８８９０３号公報）には、中間転写体から用紙への転写を行う２次転写部において、２本の導電性部材（２次転写ローラ）を有する構成としている。そして、一方の２次転写ローラにバイアスが印加されている場合は、電流経路が一方の２次転写ローラ→２次転写バックアップ部材→他方の２次転写ローラ、となるようにしている。つまり、プレニップ側からバイアスを印加する場合とポストニップからバイアスを印加する場合とに切り替えが可能である構成としている。プレニップでのチリ、放電マークとポストニップでの放電マークの両課題をバイアス印加するローラを切り替えることで解決している。
【特許文献１】特開平１１−６５３３２号公報
【特許文献２】特開平１０−２８８９０３号公報
【発明の開示】
【発明が解決しようとする課題】
【０００６】
しかしながら、特許文献１に記載のものでは、２次転写のための電圧印加手段を設けたバックアップローラが必要であること、転写前（プレニップ）領域での放電はなくなったが、依然として転写後（ポストニップ）の紙剥離時に引き起こされる放電は低減できない。なお、これは、バックアップローラを必要とする２次転写では解決困難となる課題である。
【０００７】
また、特許文献１に記載のものは、２次転写ローラの半分をベルトに対して腹当て気味（ラップ）に、半分はバックアップローラに突き当て気味に当接させることで、電流経路を確保しながら、プレニップでの電界を低減させているため、２次転写ローラの位置精度が高く要求され、コストアップ要因となりかねない。さらに、ある程度大径の２次転写ローラを用いなければ、結局プレニップでの２次転写電界領域と接してしまうため、２次転写ローラ径の制約をも発生させてしまうことなる。このように、特許文献１に記載のものは、２次転写のプレニップでの放電マーク、チリの低減には適した構成ではあるが、ポストニップ部での放電の低減に適しているとは言えず、またコスト面からも最適な構成とは言えない。
【０００８】
また、特許文献２に記載のものでは、ローラが２本必要であり、周辺部材も含めるとコスト的に不利である、という問題がある。また、用紙搬送の安定性にも問題がある。最初のローラを通過した用紙は、２次転写バックアップ部材の円弧形状に沿って搬送され、２本目のローラに進入する必要があるため、用紙の保持が困難となるからである。
【課題を解決するための手段】
【０００９】
本発明は、コストをかけることなく、プレニップ領域にて中間転写ベルト上のトナー像（可視像）が飛散してしまい所謂ブラー（画質欠陥）が発生したり、放電マークが発生したり、チリが発生したりし画質劣化が起こることを解決すると同時に、ポストニップ領域において、用紙剥離時に剥離放電に伴う筋状の所謂放電マーク（画質欠陥）が発生し、画質が劣化してしまう、という課題をも解決するものである。さらに、ポストニップ領域においては、２次転写後における用紙の剥離性や分離性が悪くなるという課題も解決するものである。このために、本発明の画像形成装置は、絶縁性基材層と、前記絶縁性基材層上に設けられる電極層と、前記電極層上に設けられる半導電層とからなる中間転写ベルトと、前記中間転写ベルトの前記電極層に所定のバイアス電圧を印加する転写バイアス印加手段と、前記中間転写ベルトの外周に当接しニップ領域を形成すると共に、所定のバイアス電圧が印加される２次転写ローラと、を有し、前記２次転写ローラと対向して前記中間転写ベルトを挟持する部材を設けないことを特徴とする。
【００１０】
また、本発明の画像形成装置は、前記ニップ領域よりも上流側におけるプレニップ領域で、前記中間転写ベルトと沿うように用紙が搬送されることを特徴とする。
【００１１】
また、本発明の画像形成装置は、前記ニップ領域よりも上流側に、コロナ帯電器が設けられることを特徴とする。
【００１２】
また、本発明の画像形成装置は、前記ニップ領域よりも上流側に、前記中間転写ベルトに向けて用紙をガイドする用紙ガイド部材が設けられることを特徴とする。
【００１３】
また、本発明の画像形成装置は、前記ニップ領域における用紙のクセ付け方向が、前記中間転写ベルトから離れる方向であることを特徴とする。
【００１４】
また、本発明の画像形成装置は、前記ニップ領域よりも下流側に、前記中間転写ベルトから用紙を剥離する剥離爪が設けられることを特徴とする。
【００１５】
また、本発明の画像形成装置は、前記中間転写ベルトを駆動する駆動ローラが設けられており、前記剥離爪は前記駆動ローラと共に前記中間転写ベルトを挟み込む位置に設けられることを特徴とする。
【００１６】
また、本発明の画像形成装置は、前記用紙ガイド部材よりも上流側で、前記中間転写ベルトに最終色のトナー像が形成される位置よりも下流側にテンションローラが設けられることを特徴とする。
【００１７】
以上のような本発明の画像形成装置によれば、コストをかけることなく、プレニップ領域にて中間転写ベルト上のトナー像（可視像）が飛散してしまい所謂ブラー（画質欠陥）が発生したり、放電マークが発生したり、チリが発生したりし画質劣化が起こることを防止すると同時に、ポストニップ領域において、用紙剥離時に剥離放電に伴う筋状の所謂放電マーク（画質欠陥）が発生し、画質が劣化してしまうことを防止する。さらに、本発明の画像形成装置によれば、ポストニップ領域においては、２次転写後における用紙の剥離性や分離性を向上することが可能となる。
【発明を実施するための最良の形態】
【００１８】
以下、本発明の実施の形態を図面を参照しつつ説明する。図１本発明の実施形態に係る画像形成装置の概略構成を示す断面図である。なお、図１はタンデムタイプを例とした画像形成装置の全体構成概略を示す断面図である。
【００１９】
図１において、２０Ｙ、２０Ｍ、２０Ｃ、２０Ｋは感光体ドラム（像担持体）、３０Ｙ、３０Ｍ、３０Ｃ、３０Ｋはプロセスカートリッジ、３１は駆動ローラ、３２は従動ローラ、３３は第１テンションローラ、３５は転写バイアス印加手段、３６はバックアップローラ、３９は中間転写ベルトクリーニングブレード、４０は中間転写ベルト、４２は給紙ローラ対、４３は第１用紙ガイド部材、４５はコロナ帯電器、５０は２次転写ローラ、５３は第２用紙ガイド部材、６０は定着ローラ対をそれぞれ示している。
【００２０】
プロセスカートリッジ３０Ｙ（イエロー）、３０Ｍ（マゼンタ）、３０Ｃ（シアン）、３０Ｋ（ブラック）は、それぞれ感光体ドラム（潜像担持体）２０を有しており、その回転に伴いその表面に帯電装置などの周知の電子写真プロセスによって、画像情報に応じた静電潜像が形成される。また、この感光体ドラム２０の周囲にはイエロー（Ｙ）、マゼンタ（Ｍ）、シアン（Ｃ）、ブラック（Ｋ）の各色に対応した現像装置が配設されており、感光体ドラム２０に形成された静電潜像はいずれかの現像装置で現像されてトナー像が形成されるようになっている。従って、感光体ドラム２０に書き込まれた静電潜像がイエローの画情報に対応したものであれば、この静電潜像はイエロー（Ｙ）のトナーを内包する現像装置で現像され、感光体ドラム上にはイエローのトナー像が形成される。
【００２１】
プロセスカートリッジ３０Ｙ、３０Ｍ、３０Ｃ、３０Ｋの各感光体ドラム２０の表面に当接されるように、エンドレスベルト状の中間転写ベルト４０が配設されている。
【００２２】
中間転写ベルト４０は、駆動ローラ３１、中間転写ベルト４０の張力を一定に制御するようにした第１テンションローラ３３、従動ローラ３２等の複数のローラに張架されている。不図示の駆動力源が配されている駆動ローラ３１が回転することによって、中間転写ベルト４０が図示矢印方向に回動する構成となっている。
【００２３】
そして、プロセスカートリッジ３０Ｙ、３０Ｍ、３０Ｃ、３０Ｋの感光体ドラム２０Ｙ、２０Ｍ、２０Ｃ、２０Ｋに形成されたトナー像は、感光体ドラム２０Ｙ、２０Ｍ、２０Ｃ、２０Ｋと中間転写ベルト４０とが接する一次転写位置で感光体ドラムから中間転写ベルト４０の表面に転写される。
【００２４】
ここで、本実施形態の画像形成装置で用いられる中間転写ベルト４０についてより詳しく説明する。図２は本発明の実施形態に係る画像形成装置に用いる中間転写ベルトの断面構造を示す図である。図２に示すように、本実施形態の中間転写体ベルト４０はポリエチレンテレフタラート（ＰＥＴ）からなる絶縁性の基材層４００の上にアルミニウム等の電極層４０１が設けられ、その表面に半導電層（塗料）４０２が形成された３層構造であり、その幅方向の端部に一部半導電層４０２が塗布されない部分が帯状に形成され、電極層４０１の露出部が形成されている。また、電極層４０１の露出表面部は、エンドレスベルトである中間転写ベルト４０の全周にわたって延在するように形成されている。この電極層４０１に対し、転写バイアス印加手段３５が接触し、電極層４０１に対して所定の転写バイアス電圧Ｖ１が印加される。なお、半導電層４０２の体積抵抗率のオーダーは１０６〜１０１２Ω・ｃｍ程度である。
【００２５】
転写バイアス印加手段３５は、対向する従動ローラ３２と共に、中間転写ベルト４０を挟む位置に配置されており、中間転写ベルト４０を押圧しつつ、電極層４０１に対して所定の転写バイアス電圧Ｖ１を印加するようになっている。
【００２６】
転写バイアス印加手段は、中間転写ベルト４０の電極層４０１に接して従動回転する導電性ローラやリジッドな接触子、あるいは板バネ等の導電性弾性部材、樹脂等の繊維群によって形成した導電性ブラシ等でも構成可能である。
【００２７】
一次転写位置において、中間転写ベルト４０の内周面側にはバックアップローラ３６Ｙ、３６Ｍ、３６Ｃ、３６Ｋが配設されており、これらのバックアップローラ３６Ｙ、３６Ｍ、３６Ｃ、３６Ｋがアース電位となるように接地されている。バックアップローラ３６Ｙ、３６Ｍ、３６Ｃ、３６Ｋは、感光体ドラム２０Ｙ、２０Ｍ、２０Ｃ、２０Ｋと共に、中間転写ベルト４０を挟むような配置となっている。
【００２８】
中間転写ベルト４０の電極層４０１に印加されている転写バイアス電圧Ｖ１の作用により、感光体ドラム２０Ｙ、２０Ｍ、２０Ｃ、２０Ｋ上のトナー像は中間転写ベルト４０側に引きつけられ、中間転写ベルト４０の表面に静電転写される。各色のトナー像が順次中間転写ベルト４０上に重ねて転写されることによって、中間転写ベルト４０上にフルカラーのトナー像が形成される。
【００２９】
不図示の給紙カートリッジからピックアップされた用紙は、給紙ローラ対４２の間を通りつつ搬送され、さらに図１に示すように２次転写ローラ５０と中間転写ベルト４０とが当接するニップ領域よりも上流側に設けられた第１用紙ガイド部材４３を通って、プレニップ領域で中間転写ベルト４０に沿うような状態で２次転写ローラ５０側に向かうようになっている。図１における点線で示す矢印は用紙の搬送ルートを示すものである。
【００３０】
コロナ帯電器４５は、スコロトロン、コロトロンなどの帯電付与手段であり、図１に示すように２次転写ローラ５０と中間転写ベルト４０とが当接するニップ領域よりも上流側に設けられている。これによって正極性コロナ放電を発生し、２次転写の前段階において用紙を中間転写ベルト４０に張り付かせ、その姿勢を維持したまま、２次転写ローラ５０と中間転写ベルト４０とが当接するニップ領域へと用紙を進入させるようにする。用紙は中間転写ベルト４０上に転写されているトナー像とのタイミングをとって搬送される。
【００３１】
なお、画像形成プロセスの始めから終わりまでで、より前段に配置されるローラなどの構成は、後段に配置されるローラなどの構成より上流にあるものと定義する。また、２次転写ローラ５０と中間転写ベルト４０とが当接するニップ領域の近傍でニップ領域よりも略上流側の部分を「プレニップ領域」、２次転写ローラ５０と中間転写ベルト４０とのニップ領域の近傍でニップ領域よりも略下流側の部分を「ポストニップ領域」として定義する。
【００３２】
次に本発明の画像形成装置における２次転写について詳しく説明する。図３は本発明の実施形態に係る画像形成装置の２次転写部を示す図である。中間転写ベルト４０上に転写されているトナー像と、これに張り付いた状態の用紙とは、２次転写ローラ５０と中間転写ベルト４０とが当接するニップ領域へと進入する。２次転写ローラ５０は、中間転写ベルト４０の外周を凹ませるように、中間転写ベルト４０に対して当接している。ここで、本発明の画像形成装置においては、２次転写ローラ５０が中間転写ベルト４０に当接する位置で、２次転写ローラ５０と対向して中間転写ベルト４０を挟持するように配置される、所謂パックアップ部材の類が設けられていない。
【００３３】
また、２次転写ローラ５０には所定のバイアス電圧Ｖ２が印加されており、前述したように中間転写ベルト４０の電極層４０１には転写バイアス印加手段３５によって所定の転写バイアス電圧Ｖ１が印加され、これらバイアス電圧Ｖ２とバイアス電圧Ｖ１との電位差によって、中間転写ベルト４０上のトナー像が用紙側へと引きつけられ転写されるようになっている。
【００３４】
本発明の画像形成装置においては、２次転写ローラ５０は、中間転写ベルト４０の外周を凹ませるように中間転写ベルト４０に対して当接しており、さらに２次転写ローラ５０にはバイアス電圧Ｖ２が、中間転写ベルト４０にはバイアス電圧Ｖ１が印加されており、これらの電位差による電界の電気力線は図３に示されるようになる。本発明のような配置関係及びバイアス電圧印加によると、２次転写ローラ５０と中間転写ベルト４０とで形成されるギャップを小さくすることができると共に、中間転写ベルト４０と用紙とで形成されるギャップも小さくすることができるため、電界の用紙に対する影響度合いが低くなる。
【００３５】
従来の画像形成装置の場合、２次転写部においては、２次転写ローラと２次転写バックアップローラとで中間転写ベルトを挟持するようにし、２次転写ローラと２次転写バックアップローラとの間にバイアス電圧を印加して、トナー像を用紙に転写するようにしていた。このような配置関係、バイアス電圧印加によると用紙に対する電界の影響が発生していたが、本発明の配置関係及びバイアス電圧印加によると、２次転写ローラ５０と中間転写ベルト４０とで形成される電界の用紙に対する影響度合いが低くなる。このため、本発明の画像形成装置の構成によれば、バックアップ部材などを設ける必要がなく、したがってコストをかけることなく、プレニップ領域にて中間転写ベルト４０上のトナー像（可視像）が、放電によって飛散してしまい所謂ブラー（画質欠陥）が発生したり、放電マークが発生したり、チリが発生したりして画質劣化が起こることを防止することができる。
【００３６】
本発明の画像形成装置において、電界の影響度合いが緩和されることは、プレニップ領域のみならず、ポストニップ領域についてもいえる。すなわち、本発明の構成によれば、ポストニップ領域において、用紙剥離時に剥離放電に伴う筋状の所謂放電マーク（画質欠陥）が発生し、画質が劣化してしまうことを防止することができる。
【００３７】
さらに、本発明の配置関係及びバイアス電圧印加によると、ポストニップ領域においては、用紙の剥離性や分離性を向上することが可能となる。このことを図４を参照しつつ説明する。図４は本発明の実施形態に係る画像形成装置の２次転写部を示す図である。図４はポストニップ領域における用紙の状態を模式的に示すものである。図４に示すように、ポストニップ領域における用紙は、用紙の帯電に伴う吸着力によって中間転写ベルト４０側に吸着している状態となっているが、用紙が２次転写ローラ５０と中間転写ベルト４０とが当接するニップ領域において２次転写ローラ５０に巻き掛けられることによって、用紙についたクセの方向は、前記吸着とは反対の中間転写ベルトから離れる方向となる。このため、吸着の方向と用紙のくせの方向とのバランスによって、用紙の剥離性や分離性を向上する。
【００３８】
従来の画像形成装置では、２次転写部において、２次転写ローラと２次転写バックアップローラとの間を通過する用紙は、帯電によって２次転写バックアップローラ側、すなわち中間転写ベルト側に吸着状態となると共に、さらに２次転写バックアップローラ側に中間転写ベルトが巻きかけられている配置のために、用紙につくクセの方向は、やはり中間転写ベルト側となってしまう。このように吸着の方向と用紙のくせの方向とが同方向となり、従来の装置では中間転写ベルトからの用紙の剥離性や分離性が良好ではなかった。これに対して、本発明の画像形成装置によれば、上述のようにポストニップ領域においては、中間転写ベルト４０からの用紙の剥離性や分離性を向上することが可能となる。
【００３９】
本発明の画像形成装置においては、中間転写ベルト４０からの用紙の剥離性や分離性がよいので、ニップ領域よりも下流側に配置される駆動ローラ３１と共に中間転写ベルト４０を挟み込むような位置に設けられる比較的簡便な不図示の剥離爪などの剥離機構によって、用紙を中間転写ベルト４０から剥離することができる。中間転写ベルト４０から剥離された用紙は、第２用紙ガイド部材５３に案内されつつ定着ローラ対６０に向かい、定着ローラ対６０のニップ領域を通過することで、トナー像の定着処理がなされ永久可視像となる。
【００４０】
中間転写ベルトクリーニングブレード３９は、対向する従動ローラ３２と共に、中間転写ベルト４０を挟む位置に配置されており、中間転写ベルト４０を押圧しつつ、中間転写ベルト４０上に残留したトナーをクリーニングする。クリーニングされた中間転写ベルト４０は、再び１次転写によるトナー像を受けるべく、プロセスカートリッジ３０Ｙの方に搬送される。
【００４１】
以上のような本発明の画像形成装置によれば、コストをかけることなく、プレニップ領域にて中間転写ベルト上のトナー像（可視像）が飛散してしまい所謂ブラー（画質欠陥）が発生したり、放電マークが発生したり、チリが発生したりし画質劣化が起こることを防止すると同時に、ポストニップ領域において、用紙剥離時に剥離放電に伴う筋状の所謂放電マーク（画質欠陥）が発生し、画質が劣化してしまうことを防止する。さらに、本発明の画像形成装置によれば、ポストニップ領域においては、２次転写後における用紙の剥離性や分離性を向上することが可能となる。
【００４２】
次に本発明の他の実施形態について説明する。図５は本発明の他の実施形態に係る画像形成装置の概略構成を示す断面図である。他の実施形態が先の実施形態と異なる点は、第１用紙ガイド部材４３よりも上流側であって、中間転写ベルト４０に最終色のトナー像を形成するプロセスカートリッジ３０Ｋよりも下流側において、第２テンションローラ３４が設けられている点である。その他の点においては、他の実施形態と先の実施形態とは同じである。
【００４３】
本実施形態においては、上記のような第２テンションローラ３４を設けることで、２次転写ローラ５０が、中間転写ベルト４０の外周を凹ませるときの凹ませ具合を調整することが可能となる。このため、２次転写ローラ５０と中間転写ベルト４０とを配置する際、よりレイアウト上の自由度を持たせることができると共に、本発明の配置関係及びバイアス電圧印加による電界の影響緩和効果をよりいっそう強調することが可能となると共に、用紙の剥離性や分離性をさらに向上することができる。
【００４４】
本発明の他の実施形態によっても、先の実施形態と同様の作用効果を得ることができる。
【図面の簡単な説明】
【００４５】
【図１】本発明の実施形態に係る画像形成装置の概略構成を示す断面図である。
【図２】本発明の実施形態に係る画像形成装置に用いる中間転写ベルトの断面構造を示す図である。
【図３】本発明の実施形態に係る画像形成装置の２次転写部を示す図である。
【図４】本発明の実施形態に係る画像形成装置の２次転写部を示す図である。
【図５】本発明の他の実施形態に係る画像形成装置の概略構成を示す断面図である。
【符号の説明】
【００４６】
２０Ｙ、２０Ｍ、２０Ｃ、２０Ｋ・・・感光体ドラム（像担持体）、３０Ｙ、３０Ｍ、３０Ｃ、３０Ｋ・・・プロセスカートリッジ、３１・・・駆動ローラ、３２・・・従動ローラ、３３・・・第１テンションローラ、３４・・・第２テンションローラ、３５・・・転写バイアス印加手段、３６・・・バックアップローラ、３９・・・中間転写ベルトクリーニングブレード、４０・・・中間転写ベルト、４２・・・給紙ローラ対、４３・・・第１用紙ガイド部材、４５・・・コロナ帯電器、５０・・・２次転写ローラ、５３・・・第２用紙ガイド部材、６０・・・定着ローラ対、４００・・・基材層、４０１・・・電極層、４０２・・・半導電層
【図１】
2009204768.tif 000003
【図２】
2009204768.tif 000004
【図３】
2009204768.tif 000005
【図４】
2009204768.tif 000006
【図５】
2009204768.tif 000007